(57)【特許請求の範囲】
【請求項１】
容器２のフチ３の上部の周囲に、筒状のシート４の下部を接着することにより、容器２に汁６をいれ、筒状のシート４を横方向にずらした上に、具材７を乗せたときに、汁６と具材７が一緒に混ざらないようにしたことを特徴とする持ち帰り容器。
【請求項２】
容器２のフチ３の上部の周囲に、何枚もの筒状のシート４の下部を重ねて接着することにより、容器２に汁６をいれ、横にずらして重ねた筒状のシート４の各間に具材７を入れることにより、具材８どうし及び、汁６と具材７が一緒に混ざらないようにしたことを特徴とする持ち帰り容器。
【発明の詳細な説明】
【技術分野】
【０００１】
本発明は、コンビニ、持ち帰り弁当、食堂などでは、いままで丼物やうどん、そばなどの、麺類は汁物が多くあるため、持ち帰り用には難しかったのを持ち帰り容器に工夫を加えた容器に関するものである。
【背景技術】
【０００２】
従来、うどん、そばなどの麺類は、乾麺にしていた。本来はうどん、そばなどの麺類は汁と麺が一緒に入った容器をラップやフタなどで運んでいた。また、丼物も同じである。容器を分けてご飯類と、汁の含む具材などの容器に分けていた。
【先行技術文献】
【特許文献】
【０００３】
【特許文献１】特開２００６−６２７３０  公報
【発明の概要】
【発明が解決しようとする課題】
【０００４】
従来は、次のような欠点があった。
（イ）汁と麺類などの、具材が一緒なので、具材に汁がしみこみ、具材が伸びる。
（ロ）水分が多いので、持ち運びにくい。
（ハ）丼物のご飯類は、具材に水分を含んだのを掛けるので、ご飯類がふやけておいしくなくなる。本発明は以上のような、課題をなくすことを目的とする。
【課題を解決するための手段】
【０００５】
容器２のフチ３の上部の周囲に、筒状のシート４の下部を接着５することにより、容器２に汁６をいれ、筒状のシート４を横方向にずらした上に、具材７を乗せたときに、汁６と具材７が一緒に混ざらないようにしたことを特徴とする持ち帰り容器。
【０００６】
容器２のフチ３の上部の周囲に、筒状のシート４を何枚もその下部を重ねて接着５することにより、容器２に汁６をいれ、横にずらして重ねた筒状のシート４の各間に具材７を入れることにより、具材７どうし、及び、汁６と具材７が一緒に混ざらないようにしたことを特徴とする持ち帰り容器。
【０００７】
容器２のフチ３の上部に乗せる枠１１のフチ３の周囲に袋物１５を接着５し、袋物１５を容器２の内側に垂らし、袋物１５の部分に具材７を入れることにより、容器２にいれたご飯類１２と混ざらないようにしたことを特徴とする持ち帰り容器。
【発明の効果】
【０００８】
（イ） 下に熱い物や冷たい物を入れるので、上の具材が保温効果により、温度変化し
にくい。
（ロ） 上と下が筒状のシートで遮断されているので混ざらない。
（ハ） 水分が外に漏れない。
（ニ） 持ち運びやすい。
（ホ） 容器の種類、形、材質、大きさなど、なんでも可能である。
【図面の簡単な説明】
【０００９】
【図１】本発明の持ち帰り容器の構成と使用図（第１の実施例）    （ａ）は構成、（ｂ）と（ｃ）は使用図
【図２】本発明の持ち帰り容器の構成と使用図（第2の実施例）    （ａ）は構成、（ｂ）と（ｃ）は使用図
【図３】本発明の持ち帰り容器の構成と使用図（第３の実施例）    （ａ）は構成、（ｂ）と（ｃ）は使用図
【発明を実施するための形態】
【００１０】
本発明は、コンビニや弁当屋などで麺類や丼物を販売するに当たり、持ち帰りを目的に容器を提供するものである。容器のフチにビニールなどの筒状のシートを接着し、筒状のシートの上部は汁などが入れやすいように開口し、そこより汁などを入れる。そして筒状のシートを横にずらすと容器の上部が広がる。そこに麺類などの具材を乗せることにより、具材の重みで下の汁の中ほどへ具材が沈む事により、汁と具材が筒状のシートにより混ざらない。筒状のシートの開口部を閉じることにより、汁が漏れない。閉じた部分は具材の上に折り曲げて置く。そしてその上に保温シートを乗せて、その他の具材を置きフタをすることにより、保温効果を得られ、冷めにくく、温かい麺類が食べられるという特徴を提供する持ち帰り容器である。
【００１１】
筒状のシートを何層にもすることで、麺類や丼物の汁を含んだ具材などの汁の漏れを防ぐものである。
【００１２】
丼物には容器に工夫を加えて、容器本体にご飯類を入れ、その上にフタの真ん中をくりぬいたような枠のフチに袋物を接着し、その袋物の中に汁を含む具材を入れてフタをすることにより、ご飯類と汁を含む具材が混ざらず、おいしく食せるのである。
【００１３】
従来は容器の中に汁、そして容器の中には具材の容器というように入れていたが、筒状のシートを使うことにより、汁と具材を簡単に分けることが出来るのである。
【００１４】
食事をする時は接着面を剥がすか、筒状のシートを切り取る事により、具材が下に落ち、汁と混ざることにより、食せるのである。
【００１５】
容器の種類、形、材質、大きさなど、なんでも可能である。又、工夫により、色々な使用方法を得られる。
【００１６】
以下、発明を実施するための形態について説明する。
図１は、本発明の持ち帰り容器の構成と使用図（第１の実施例）で、（ａ）は構成、（ｂ）と（ｃ）は使用図である。
（ａ）をもとに構成について説明する。
本発明の持ち帰り容器は(ａ)に示すように、容器２とその上部のフチ３のまわ          りに接着５させたビニールなどの筒状のシート４からなる。
（ａ）は容器２のフチ３のまわりに薄い柔らかい筒状のシート４を接着５し、容器２に汁６を入れ、筒状のシート４を横にずらし、具材７を上に乗せることにより、具材７の重さで下に沈む。そこで開口部に閉じ部９を作る。閉じ部９を具材７の方へ折り曲げて、その上に保温シート１４にその他の具材１３を入れ、フタ１０をする。汁６と具材７が筒状のシート４によって分離され、混ざらないようにした。又、食するときは接着面を剥がすか、筒状のシート４を切り取ることにより、汁６へ具材７が混ざることにより、食せる。    
【００１７】
図１の（ｂ）、（ｃ）で、本容器の使用方法について説明する。
（ｂ）は容器２のフチ３に、上部を開口した筒状のシート４を接着５した図である。
（ｃ）図は容器２に汁６を入れ、筒状のシート４を横に倒した図である。筒状のシート４を横に倒すことで容器２の上部が広がり、そこに具材７を置くことにより、具材７の重さで下の汁６の中ほどへ沈むことで、汁６と具材７が筒状のシート４により混ざらない。そして、筒状のシート４の開口部に閉じ部９を作り、閉じた部分を具材７の上に折り曲げ、その上に保温シート１４を置き、その上にその他の具材１３を乗せてフタ１０をする。
【００１８】
図２は、本発明の持ち帰り容器の構成と使用図（第２の実施例）である。                    （ａ）は構成、（ｂ）と（ｃ）は使用図である。  
（ａ）に示すように、本発明の持ち帰り容器１は（ａ）に示すように容器２と、その上部のフチ３のまわりに接着５させたビニールなどの筒状のシート４１、４２、４３が何層にもなっている。図は容器２のフチ３に筒状のシート４１、４２、４３をまとめてフチ３に接着５することにより、筒状のシート４が何層にもなっている事により、汁６及び、汁を含む具材８の漏れを防ぐ。図１の筒状シート４を何層にもすることで、種類の違う汁を含む具材８を何層にも分けて入れることで、汁６及び汁を含む具材８を混ざらないようにするための工夫である。筒状のシート４を一層ずつに汁を含む具材８を入れることにより、汁を含む具材８の汁及び水分が一層ごとに閉じ込められるため混ざらない。又、食する時には接着面を剥がすか、筒状のシート４を切り取って食する。
【００１９】
図２の（ｂ）、（ｃ）で使用方法について説明する。
（ｂ）は筒状のシート４１、４２、４３の筒状のシート４を下にさげ、容器２に汁６を入れ、筒状のシート４１を横に倒すことで、容器２の上部が広がり、そこに汁を含む具材８を置くことにより、汁を含む具材８は重さで汁６の中ほどへ沈むことにより、汁６と汁を含む具材８は混ざらない。筒状のシート４１の開口部に閉じ部９を作り、閉じた部分を、汁を含む具材８の上に折り曲げる。（ｃ）図は筒状のシート４１の上へ筒状のシート４２を横にずらすことにより上部が広がり、そこに汁を含む具材８を置く。筒状のシート４２の開口部に閉じ部９を作り、閉じた部分を汁を含む具材８の上に折り曲げる。そして筒状のシート４３を横に広げ、上部に具材７を置き、筒状のシート４３の開口部に閉じ部９を作る。そして具材７の上に折り曲げてフタ１０をする。
【００２０】
図３は、本発明の持ち帰り容器１の構成と使用図（第３の実施例）で、主に丼物に使用する容器である。（ａ）は構成、（ｂ）と（ｃ）は使用図である。図３の（ａ）に示すように、本発明の持ち帰り容器１は、容器２と枠１１のフチ３に接着５する袋物１５からなる。
（機能と使用方法）
図３は図１、図２とは実施するための形態が少し違うので説明する。
これは持ち帰り容器であるが、主に丼物に使用する容器２である。ご飯類１２に具材７を乗せると、ご飯類１２に汁を含む具材８を掛けるので、ご飯類１２がふやけておいしくなくなる。これを防ぐために考案した持ち帰り容器１である。容器２にご飯類１２を入れ、その上にフタ３の真ん中をくりぬいたような枠１１のフチ３の上部のまわりに薄く柔らかいビニール状の袋物１５を下に向けて付け、フチ３の上部に接着５することにより、袋物１５の中に汁を含む具材８を入れる事ができる。それを容器２の上に乗せることにより、ご飯類１２と汁物が混ざらないのである。
容器２より枠１１を少し大きく作ることによって、容器２の上部に乗せ、枠１１より少し大きめのフタ３を乗せることにより、フタ３が出来るのである。又、食する時は接着面を剥がすか、直接ご飯に掛けても良いのである。
【００２１】
図３の（ｂ）、（ｃ）で使用方法について説明する。
容器２にご飯類１２を入れる。枠１１に袋物１５を接着５する。枠はフタ１０の真ん中をくりぬいたような枠１１のフチ３１に袋物１５を接着５する。袋物１５は枠１１のフチ３１の下側に袋を付けその中に具材７を乗せて、容器２の上に置くことによりご飯類１２と具材７が混ざらないので、ご飯類１２がふやけない。又、汁の含む具材８の場合、図１の（ｂ）のようにフチ３１に筒状のシート４を付けることにより、汁を含む具材８を漏れなくすることも出来る。（ｃ）容器２にご飯類１２を入れ、枠１１に袋物１５をフチ３１に接着５し具材７を入れる。それを容器２の上に置き、そしてフタ１０をする。又、袋物１５を使うことによりご飯類１２と具材７を隔離することで混ざらない。
【符号の説明】
【００２２】
１    持ち帰り容器
２    容器
３    フチ
３１  フチ
４    筒状のシート
５    接着
６    汁
７    具材
８    汁を含む具材
９    閉じ部
１０    フタ
１１    枠
１２    ご飯類
１３    具材
１４    保温シート
１５    袋物          
４１    筒状のシート
４２    筒状のシート
４３    筒状のシート
【図１】
0006418490.tif 000002
【図２】
0006418490.tif 000003
【図３】
0006418490.tif 000004